(57)【要約】【課題】簡素な構成であっても十分な強度を持って位置ズレを規制するフローティングコネクタを提供する。【解決手段】フローティングコネクタ１０は、接続対象物Ｓが嵌入される嵌入口２２、及び接続対象物Ｓを収容する収容空間２３から構成されたハウジング嵌入部２１を有するハウジング２０と、基板Ｂｄに固定される基端部３３、接続対象物Ｓと接触するコンタクト部３１、及び基端部３３とコンタクト部３１の間の弾性部３２を有するフローティング端子３０と、底面において基板Ｂｄに固定される基板接触部４１、及び嵌入口２２の左右両側において一定の間隙をもってハウジング２０の側方への移動を規制する側方規制部４２を有し、金属で一体形成され、フローティングコネクタ１０の左右側方より見て嵌入口２２と側方規制部４２の位置が少なくとも一部重なる基板固定部材４０と、を備える。 【選択図】図１
2019102373.tif 000002
【特許請求の範囲】
【請求項１】
基板に実装され、接続対象物と接続されるフローティングコネクタであって、
前記接続対象物が嵌入される嵌入口、及び前記接続対象物を収容する収容空間から構成されたハウジング嵌入部を有するハウジングと、
前記ハウジングの内側に設けられ、前記基板に固定される基端部、前記接続対象物と接触するコンタクト部、及び前記基端部と前記コンタクト部の間の弾性部を有する複数のフローティング端子と、
前記ハウジングの外側に設けられ、底面において前記基板に固定される基板接触部、及び前記嵌入口の左右両側において一定の間隙をもって前記ハウジングの側方への移動を規制する側方規制部を有する一対の基板固定部材であって、金属で一体形成され、前記フローティングコネクタの左右側方より見て前記嵌入口と前記側方規制部の位置が少なくとも一部重なる前記基板固定部材と、を備えることを特徴とするフローティングコネクタ。
【請求項２】
前記フローティングコネクタの左右側方より見て、前記嵌入口と前記側方規制部が重なる位置の下に前記基板接触部の少なくとも一部が配される請求項１に記載のフローティングコネクタ。
【請求項３】
前記基板固定部材が前記側方規制部の上側に前記ハウジングの上方への移動を規制する上方規制部を有することを特徴とする請求項２に記載のフローティングコネクタ。
【請求項４】
前記基板固定部材が前記側方規制部の後側に延在する接続部を有し、
前記ハウジングの後側において前記基板固定部材の前記接続部に取り付けられ、前記フローティング端子の前記基端部の一部を固定するフローティング端子固定部材をさらに備えることを特徴とする請求項１乃至３に記載のフローティングコネクタ。
【請求項５】
前記フローティング端子固定部材が前記ハウジングの後方への移動を規制する後方規制部を有することを特徴とする請求項４に記載のフローティングコネクタ。
【発明の詳細な説明】
【技術分野】
【０００１】
本開示は、フローティングコネクタに関する。
【背景技術】
【０００２】
従来、基板にコネクタを実装する際に生じる縦横方向の誤差やズレを吸収する機構（フローティング機構）を搭載したフローティングコネクタが知られている（例えば、特許文献１参照）。フローティングコネクタを用いることで、誤差やズレを吸収して基板自体の破損を防ぐことができる。
【０００３】
特許文献１は、ライトアングル構造であって、ハウジング（下側の第１ハウジングと上側の第２ハウジングに組合せで構成）の左右側方に補強金具と称する基板に固定された部材を設けることによりフローティング機構を付与したフローティングコネクタ（特許文献１では「キャップコネクタ」と呼称）を開示している。補強金具は第１ハウジングの側端部に一体的に取り付けられており、第２ハウジングの側面には、補強金具を前後に挟むように補強金具の幅と同じ寸法に離間する一対の突起部が設けられている。そして、第２ハウジングの突起部は第１ハウジングの側端部よりも所望のクリアランスをもって内側となるように設けられている。これにより、第２ハウジングは、補強金具に沿って上下方向にフローティングし、クリアランスを利用して左右方向にフローティングすることができる（特許文献１の図１参照）。
【０００４】
特許文献１のフローティングコネクタでは、接続対象物（相手方コネクタ）が嵌入される際に、接続対象物とコネクタが当接する力によるモーメント（回転）の位置ズレが大きくならぬよう、ハウジングの突起部と側端部を嵌入口およびその近傍に設けることにより位置ズレを規制している。これにより、第２ハウジングの嵌入口およびその近傍にあるフローティング端子の部位（特許文献１では「コンタクト」と呼称）が大きく位置振れしてしまい過剰な負荷が掛かり変形することや、フローティング端子の基板への固定部（特許文献１では「タイン部」と呼称）が上記部材の位置ズレによる負荷で外れることを防止している。
しかし、位置ズレによる過剰な負荷は抑止するものの、ハウジング同士が位置ズレを規制するため材質に起因する強度の低さ等の問題が起こり、十分な強度を持って安定し規制することが出来ない問題があった。
【先行技術文献】
【特許文献】
【０００５】
【特許文献１】特開平９−１８０８２９号公報
【発明の概要】
【発明が解決しようとする課題】
【０００６】
そこで、本開示は、上記の問題点に鑑みなされたものであって、その目的は接続対象物の嵌入時及び嵌入後に補強金具の基板への固定位置とハウジングが接する箇所から離れてもモーメントによる位置ズレが大きくなることを抑制し、ハウジングやフローティング端子に過剰な負荷を掛けることなく、簡素な構成であっても十分な強度を持って安定して位置ズレを規制するフローティングコネクタを提供することにある。
【課題を解決するための手段】
【０００７】
本開示は上記目的を達成するために提案されたものであり、本開示に係る態様は、基板に実装され、接続対象物と接続されるフローティングコネクタであって、前記接続対象物が嵌入される嵌入口、及び前記接続対象物を収容する収容空間から構成されたハウジング嵌入部を有するハウジングと、前記ハウジングの内側に設けられ、前記基板に固定される基端部、前記接続対象物と接触するコンタクト部、及び前記基端部と前記コンタクト部の間の弾性部を有する複数のフローティング端子と、前記ハウジングの外側に設けられ、底面において前記基板に固定される基板接触部、及び前記嵌入口の左右両側において一定の間隙をもって前記ハウジングの側方への移動を規制する側方規制部を有する一対の基板固定部材であって、金属で一体形成され、前記フローティングコネクタの左右側方より見て前記嵌入口と前記側方規制部の位置が少なくとも一部重なる前記基板固定部材と、を備える。
【発明の効果】
【０００８】
本開示によれば、接続対象物の嵌入時及び嵌入後にもモーメントによる位置ズレで過剰な負荷を掛けることなく、十分な強度を持って安定して位置ズレを規制するフローティングコネクタを提供することができる。
【図面の簡単な説明】
【０００９】
【図１】第１実施形態に係るフローティングコネクタを基板に固定した状態を示す斜視図である。
【図２】第１実施形態に係るフローティングコネクタの分解斜視図である。
【図３】第１実施形態に係るフローティングコネクタの平面図である。
【図４】第１実施形態に係るフローティングコネクタの左側面図である。
【図５】第１実施形態に係るフローティングコネクタの正面図であって、（ａ）は接続対象物がずれて嵌入された状態を、（ｂ）は接続対象物に追従してハウジングがフローティングした状態を、（ｃ）はハウジングが接続対象物を収容して中央位置に復帰した状態を、それぞれ示す。
【図６】図５（ａ）のＡ−Ａ線断面図である。
【図７】図６のＢ領域拡大断面図である。
【図８】第２実施形態に係るフローティングコネクタを基板に固定した状態をアクチュエータ開放状態で示す斜視図である。
【図９】図８でアクチュエータを閉鎖した状態を示す斜視図である。
【図１０】図８の平面図である。
【図１１】図８において、第１実施形態に係る図６と同様の位置で示す断面図であって、（ａ）は接続対象物を挿入した状態を、（ｂ）は接続対象物を省略した状態を示す。
【発明を実施するための形態】
【００１０】
以下、本開示に係る実施形態について、図面を参照しながら詳細に説明する。なお、実施形態の説明の全体を通じて同じ要素には同じ符号を付して説明する。また、説明にあたっては、フローティングコネクタにおいて、接続対象物が嵌入される面を前面、その反対側を後面、前面側から見て右側に連続する面を右側面、前面側から見て左側に連続する面を左側面、基板に対向する面を底面、その反対側を平面とする。また、後面から前面に向かう方向を前方、その逆を後方、底面から平面に向かう方向を上方、その逆を下方、右側面から左側面に向かう方向を左側方、その逆を右側方として説明する。
【００１１】
（第１実施形態）
第１実施形態に係るフローティングコネクタ１０について、図１から図７を参照して説明する。図１に示すように、第１実施形態に係るフローティングコネクタ１０は、ボックスタイプのハウジング２０と、ハウジング２０の内部に配置されるフローティング端子３０と、ハウジング２０の左右両側の外部に設けられる一対の基板固定部材４０と、ハウジング２０の後方でフローティング端子３０及び基板固定部材４０に固定されるフローティング端子固定部材５０を備える。接続対象物Ｓ（基板、ワイヤ、ボードコネクタなど）は、ハウジング２０の前面側から基板Ｂｄと平行（図中の白抜き矢印方向）に嵌入される。
【００１２】
図２、図３、図４および図７を参照して、各要素を説明する。ハウジング２０は、その内部がハウジング嵌入部２１となっており、ハウジング嵌入部２１は、接続対象物Ｓが嵌入される嵌入口２２と、嵌入口２２の後方にあって接続対象物Ｓを収容する収容空間２３を形成している。ハウジング嵌入部２１は接続対象物Ｓを誘い込めるように、その前面２１ａから収容空間２３に向かって絞られたテーパ部２１ｂを上下左右に有し、前面２１ａおよびテーパ部２１ｂいずれも嵌入口２２に形成される。テーパ部２１ｂは、フローティング端子３０が配置される台座部２１ｃへと連続する。
【００１３】
フローティング端子３０は、板状部材から構成されており、接続対象物Ｓと接触するコンタクト部３１と、フローティング端子固定部材５０に固定される基端部３３と、コンタクト部３１と基端部３３の間の弾性部３２を有する。またフローティング端子３０の基端部３３はコンタクト部３１の根本部３１aの後方に位置する。コンタクト部３１は、二股に分かれてハウジング２０の上下の台座部２１ｃに配置され、接続対象物Ｓの上下面に当接する。なお図２には下の台座部２１ｃのみ示されているが、上にも同様な台座部２１ｃを有し、上のテーパ部２１ｂより連続している。弾性部３２は、板状部材を側面視においてＣ字状の折り曲げ形状とすることによって左右方向に弾性変形容易に構成されている（フローティング機構）。基端部３３は、フローティング端子固定部材５０に固定される。
【００１４】
一対の基板固定部材４０はＳＵＳ材等の強度の高い部材で一体形成され、それぞれ、底面において基板Ｂｄに固定される基板接触部４１と、ハウジング２０の側方への移動を規制する側方規制部４２を有する。基板接触部４１の底面は基板Ｂｄにハンダ付けなどで固定される。その際、図２、図３及び図４に示すように、側方規制部４２と嵌入口２２の位置がコネクタ１０の左右側方より見て、全体が重なっている。これにより、フローティング時にもっとも左右に移動して振れる嵌入口２２の側方移動を規制することにより、ハウジング２０やフローティング端子３０への過剰な負荷を抑制することが出来る上、強度の高い部材で一体形成される基板固定部材４１により規制することで十分な強度で規制することが出来る。図３および図４では全体が重なる位置関係であるが、嵌入口２２の側方移動が規制されていればよく、側方規制部４２と嵌入口２２の位置がコネクタ１０の左右側方より見て少なくとも一部が重なるよう位置決めさていればよい。
またコネクタ１０の左右側方より見て、嵌入口２２と側方規制部４２が重なる位置の下に基板接触部４１が配されている。これにより側方規制部４２が受けた力の近くで基板固定部材４０は基板に固定されることで、伝わる力の作用を小さくすることが出来る。基板接触部４１は側方規制部４２が受けた力の近くで固定されていればよく、嵌入口２２と側方規制部４２が重なる位置の下に基板接触部４１の少なくとも一部が配されていればよい。
【００１５】
さらに、基板固定部材４０は、側方規制部４２の上側にあってハウジング２０に向かって延在する上方規制部４３、及び上方規制部４３の前端にあって下方に向かって屈曲する前方規制部４４を有するようにしてもよい。上方規制部４３は、ハウジング２０の上方への移動を規制するものであり、前方規制部４４は、ハウジング２０の前方への移動を規制するものである。上方規制部４３は先に説明の側方規制部４２と同様の作用を上方の位置ズレに対して行い、十分な強度で上方のモーメントによる位置ズレを規制する。前方規制部４４は側方規制部４２および上方規制部４３と共に一体形成してもよく、これにより部材削減することが出来る。  
【００１６】
また、基板固定部材４０は、側方規制部４２の後側に延在する接続部４５を有するようにしてもよい。接続部４５は、フローティング端子固定部材５０の側端部５２に穿設された貫通孔５２ａに嵌装され、これにより基板固定部材４０がフローティング端子固定部材５０に固定される。これにより、基板固定部材４０は、ハウジング２０の嵌入口２２に対して適正な位置決めが可能となる。
【００１７】
フローティング端子固定部材５０は、ハウジング２０の後方に位置しており、一対の基板固定部材４０の設置幅に対応する基体５１と、基体５１の両端に位置する一対の側端部５２とを備えている。基体５１の中間には、フローティング端子３０の基端部３３が保持される溝部５３と、隣接する溝部５３を挟む仕切部５４が設けられている。側端部５２には、前述のとおり、基板固定部材４０の接続部４５が固定される。
【００１８】
さらに、フローティング端子固定部材５０は、基体５１の前側すなわちハウジング２０の後面側に後方規制部５５を有するようにしてもよい。後方規制部５５は、ハウジング２０の後方への移動を規制するものである。このようにすると、フローティング端子固定部材５０は、基板固定部材４０の適正な位置決めとともに、接続対象物Ｓの嵌入方向に対するフローティングの規制を一つの部材で達成することができる。またフローティング端子固定部材５０およびその後方規制部５５が、ハウジング２０の後方に配されることにより、高さ方向の位置が重なることがなく、コネクタの低背化にも功を奏している。
【００１９】
なお、以上では、ハウジング２０を直方体様に形成したもので説明しているが、これはあくまで例示であって、ハウジング２０の形状は直方体様のものに限られるものではない。このほかにも、例えば、ハウジング２０を円筒様、楕円筒様などの曲面によって構成されたものとしても差し支えない。その際、基板固定部材４０の側方規制部４２は、上記したような平面でもよいし、ハウジング２０の形状に則した曲面にしても構わない。なお前方規制部４４、側方規制部４２および上方規制部４３はハウジングの側面形状に一致した形状で面接触するよう形成されていてもよく、これにより位置ズレによる力を面で受けることにより、安定しフローティングを規制することが出来る。たとえば第１実施形態ではハウジングは直方体様のため平面同士の接触となっている。
【００２０】
以上の各要素の構成をもとに、図５から図７を参照して、フローティングコネクタ１０の動作を説明する。フローティングコネクタ１０は、左右方向、上下方向、前後方向にそれぞれフローティング可能であり、それぞれの方向に規制部を有する。
【００２１】
まず、左右方向については、図５（ａ）に示すように、ハウジング２０の左右側面と一対の基板固定部材４０の側方規制部４２の間にそれぞれに設けられたクリアランスＣ１によって、ハウジング２０は、一対の基板固定部材４０の側方規制部４２同士の間で左右方向（図中、Ｘ−Ｘ’方向）にフローティング可能である。
【００２２】
例えば、図５（ａ）に示すように、接続対象物Ｓがハウジング２０の嵌入口２２に対し右方向（Ｘ’方向）にずれた状態で嵌入されると、図５（ｂ）に示すように、ハウジング２０は、右側のクリアランスＣ１を利用して、フローティング端子３０の弾性部３２の弾性変形によって右方向（Ｘ’方向）にフローティングする。これによって、嵌入口２２ひいてはハウジング２０は、接続対象物Ｓに対し正対し、接続対象物Ｓは収容空間２３に適正に収容される。そして、接続対象物Ｓから手を離すと、図５（ｃ）に示すように、ハウジング２０は、接続対象物Ｓが嵌入された状態で左方向（Ｘ方向）にフローティングし、中央位置（標準位置）に戻る。
【００２３】
次に、上下方向については、図６に示すように、ハウジング２０の上面と一対の基板固定部材４０の上方規制部４３の間にそれぞれに設けられたクリアランスＣ２によって、ハウジング２０は、基板Ｂｄと一対の基板固定部材４０の上方規制部４３の間で上下方向（図中、Ｚ’−Ｚ方向）にフローティング可能である。
【００２４】
例えば、接続対象物Ｓがハウジング２０の嵌入口２２に対し上方向（Ｚ’方向）にずれた状態で嵌入されると、ハウジング２０は、クリアランスＣ２を利用して、フローティング端子３０の弾性部３２の弾性変形によって上方向（Ｚ’方向）にフローティングする。これによって、嵌入口２２ひいてはハウジング２０は、接続対象物Ｓに対し正対し、接続対象物Ｓは収容空間２３に適正に収容される。そして、接続対象物Ｓから手を離すと、ハウジング２０は、接続対象物Ｓが嵌入された状態で下方向（Ｚ方向）にフローティングし、標準位置に戻る。
【００２５】
次に、前後方向については、ハウジング２０の前側と後側に分けて構造化している。前側については、図６に示すように、ハウジング２０のハウジング嵌入部２１の前面２１ａと一対の基板固定部材４０の前方規制部４４の間にそれぞれに設けられたクリアランスＣ３によって、ハウジング２０は、そのハウジング嵌入部２１の前面２１ａが基板固定部材４０の前面４２ａと面一である標準位置から前面２１ａが基板固定部材４０の前方規制部４４に当接するまでの間で前後方向（図中、Ｙ１−Ｙ１’方向）にフローティング可能である。
【００２６】
例えば、接続対象物Ｓがハウジング２０の嵌入口２２から前方向に引き抜かれると、ハウジング２０は、クリアランスＣ３を利用して、フローティング端子３０の弾性部３２の弾性変形によって前方向（Ｙ１’方向）にフローティングし、前方規制部４４に当接する。これによって前方への移動が規制され、接続対象物Ｓは、ハウジング嵌入部２１の収容空間２３からの引き抜きが容易になるとともに、無理な引き抜きに伴うハウジング２０やフローティング端子３０の変形や破損を防止することができる。そして、接続対象物Ｓが引き抜かれると、ハウジング２０は、後方向（Ｙ１方向）にフローティングし、標準位置に戻る。
【００２７】
次に、後側については、図７に示すように、フローティング端子３０のコンタクト部３１の根本部３１ａとフローティング端子固定部材５０の後方規制部５５の間に設けられたクリアランスＣ４によって、ハウジング２０は、そのハウジング嵌入部２１の前面２１ａが基板固定部材４０の前面４２ａと面一である標準位置からハウジング２０の後面がフローティング端子固定部材５０の後方規制部５５に当接するまでの間で前後方向（図中、Ｙ２’−Ｙ２方向）にフローティング可能である。
【００２８】
例えば、接続対象物Ｓがハウジング２０の嵌入口２２に対し嵌入すると、ハウジング２０は、クリアランスＣ４を利用して、フローティング端子３０の弾性部３２の弾性変形によって後方向（Ｙ２’方向）にフローティングし、後方規制部５５に当接する。これによって、接続対象物Ｓが必要以上に強い力で嵌入されたときの力を吸収してハウジング２０や端子３０の変形や破損を防止することができる。そして、接続対象物Ｓが嵌入されると、ハウジング２０は、前方向（Ｙ２方向）にフローティングし、標準位置に戻る。
上記の第１実施形態におけるフローティングコネクタ１０の動作の説明での面一とは公差の範囲内で面一であることを指す。
【００２９】
（第２実施形態）
第２実施形態に係るフローティングコネクタ１１０について、図８から図１１を参照して説明する。図８に示すように、第２実施形態に係るフローティングコネクタ１１０は、フロントフリップタイプのアクチュエータ１２４ａを有するハウジング１２０と、ハウジング１２０の内部に配置されるフローティング端子１３０と、ハウジング１２０の左右両側の外部に設けられる一対の基板固定部材１４０と、ハウジング１２０の後方でフローティング端子１３０及び基板固定部材１４０に固定されるフローティング端子固定部材１５０を備える。接続対象物Ｓ（基板、ワイヤ、ボードコネクタなど）は、ハウジング１２０の前面側から基板Ｂｄと平行（図中の白抜き矢印方向）に嵌入される。
【００３０】
ハウジング１２０は、その内部がハウジング嵌入部１２１となっており、ハウジング嵌入部１２１は、接続対象物Ｓが嵌入される嵌入口１２２と、嵌入口１２２の後方にあって接続対象物Ｓを収容する収容空間１２３を形成している。ハウジング嵌入部１２１は、嵌入口１２２が接続対象物Ｓを誘い込めるようにその前面１２１ａから収容空間１２３に向かって絞られたテーパ部１２１ｂを左右下に有し、前面１２１ａおよびテーパ部１２１ｂいずれも嵌入口１２２に形成される。下側のテーパ部１２１ｂは、フローティング端子１３０が配置される台座部１２１ｃへと連続する。
【００３１】
ハウジング１２０は、前述のとおり、第１実施形態に係るハウジング２０とは異なってアクチュエータ１２４ａを有するフロントフリップタイプのものである。アクチュエータ１２４ａは、ハウジング１２０の基体１２４ｃに支持部１２４ｂを介して回動可能であり、接続対象物Ｓの嵌入が完了すると、閉鎖される（図９参照）。ハウジング１２０の左右両側には、ハウジング１２０と一体的に動作する上側端部１２５ａと下側端部１２５ｂが設けられている。下側端部１２５ｂの前面には前後方向に切欠き１２５ｃが設けられており、切欠き１２５ｃには後述する基板固定部材１４０の上方規制部１４３が左右に跨るように設けられる。
【００３２】
フローティング端子１３０は、図１１（ａ）に示すように、板状部材から構成されており、接続対象物Ｓと接触するコンタクト部１３１と、フローティング端子固定部材１５０に固定される基端部１３３と、コンタクト部１３１と基端部１３３の間の弾性部１３２を有する。コンタクト部１３１は、三股に分かれており、下の２本は端子としてハウジング１２０の下の台座部１２１ｃに配置され、接続対象物Ｓの下面に当接する。上の１本は、前述の支持部１２４ｂとしてアクチュエータ１２４ａを回動可能に支持する。弾性部１３２は、板状部材を側面視においてＣ字状の折り曲げ形状とすることによって左右方向に弾性変形容易に構成されている（フローティング機構）。基端部１３３は、フローティング端子固定部材１５０に固定される。
【００３３】
一対の基板固定部材１４０はＳＵＳ材等の強度の高い部材であり一体形成されており、それぞれ、底面において基板Ｂｄに固定される基板接触部１４１と、ハウジング１２０の側方への移動を規制する一対の側方規制部１４２１，１４２２を有する。基板接触部１４１の底面は基板Ｂｄにハンダ付けなどで固定される。その際、図８ほかに示すように、側方規制部１４２１、１４２２と嵌入口１２２の位置がフローティングコネクタ１１０の左右側方より見て、少なくとも一部が重なるよう位置決めされる。またフローティングコネクタ１１０左右側方より見て、嵌入口１２２と側方規制部１４２１、１４２２が重なる位置の下に基板接触部１４１の少なくとも一部が配されている。
【００３４】
さらに、基板固定部材１４０は、側方規制部１４２１，１４２２の上側に架設され下側端部１２５ｂの切欠き１２５ｃを跨って延在する上方規制部１４３を有している。上方規制部１４３は、ハウジング１２０の上方への移動を規制するものである。ハウジング１２０の上側端部１２５ａ及び下側端部１２５ｂは、切欠き１２５ｃの後端が上方規制部１４３の後端に当接するまでフローティング可能であり、切欠き１２５ｃの後端には、ハウジング１２０の前方への移動を規制する前方規制部１４４を構成する。
【００３５】
また、基板固定部材１４０は、側方規制部１４２１の後側に延在する接続部１４５を有するようにしてもよい。接続部１４５は、フローティング端子固定部材１５０の側端部１５２に穿設された貫通孔１５２ａに嵌装され、これにより基板固定部材１４０がフローティング端子固定部材１５０に固定される。
【００３６】
フローティング端子固定部材１５０は、ハウジング１２０の後方に位置しており、一対の基板固定部材１４０の設置幅に対応する基体１５１と、基体１５１の両端に位置する一対の側端部１５２とを備えている。基体１５１の中間には、フローティング端子１３０の基端部１３３（図１１（ａ）参照）が保持される溝部１５３と、隣接する溝部１５３を挟む仕切部１５４が設けられている。側端部１５２には、前述のとおり、基板固定部材１４０の接続部１４５が固定される。
【００３７】
以上の各要素の構成をもとに、図１０から図１１を参照して、フローティングコネクタ１１０の動作を説明する。フローティングコネクタ１１０は、左右方向、上下方向、前後方向にそれぞれフローティング可能であり、それぞれの方向に規制部を有する。フローティングと規制の意義は第１実施形態と同様であるので、説明は省略する。
【００３８】
まず、左右方向については、図１０に示すように、ハウジング１２０の左右側面と一対の基板固定部材１４０の側方規制部１４２１，１４２２の間にそれぞれに設けられたクリアランスＣ１１によって、ハウジング１２０は、一対の基板固定部材１４０の側方規制部１４２１，１４２２の間で左右方向（図中、Ｘ−Ｘ’方向）にフローティング可能である。
【００３９】
次に、上下方向については、図１１（ｂ）に示すように、ハウジング１２０の下側端部１２５ｂの切欠き１２５ｃの上面と一対の基板固定部材１４０の上方規制部１４３の間にそれぞれに設けられたクリアランスＣ１２によって、ハウジング１２０は、基板Ｂｄと一対の基板固定部材１４０の上方規制部１４３の間で上下方向（図中、Ｚ−Ｚ’方向）にフローティング可能である。
【００４０】
次に、前後方向については、ハウジング１２０の前側と後側に分けて構造化している。前側については、図１１（ｂ）に示すように、ハウジング１２０の下側端部１２５ｂの切欠き１２５ｃの後端に位置する前方規制部１４４と一対の基板固定部材１４０の上方規制部１４３の間にそれぞれに設けられたクリアランスＣ１３によって、ハウジング１２０は、そのハウジング嵌入部１２１の前面１２１ａが基板固定部材１４０の前面１４２ａと面一である標準位置から前方規制部１４４が上方規制部１４３に当接するまでの間で前後方向（図中、Ｙ１’−Ｙ１方向）にフローティング可能である。
【００４１】
次に、後側については、図１１（ｂ）に示すように、ハウジング１２０の後面１２１ｄとフローティング端子固定部材１５０の後方規制部１５５の間に設けられたクリアランスＣ１４によって、ハウジング１２０は、そのハウジング嵌入部１２１の前面１２１ａが基板固定部材１４０の前面１４２ａと面一である標準位置から後面１２１ｄが後方規制部１５５に当接するまでの間で前後方向（図中、Ｙ２’−Ｙ２方向）にフローティング可能である。上記の第２実施形態におけるフローティングコネクタ１１０の動作の説明での面一とは公差の範囲内で面一であることを指す。
【００４２】
以上説明したように、第１実施形態及び第２実施形態はともに、基板固定部材４０、１４０は一体形成されたＳＵＳ材等の強度の高い部材であり、側方規制部４２、１４２１、１４２２と嵌入口２２、１２２の位置が接続対象物Ｓの左右側方より見て、少なくとも一部が重なるよう位置決めされてハウジング２０，１２０をフローティングさせることができるので、接続対象物Ｓの嵌入時及び嵌入後の組立時にハウジング２０，１２０の嵌入口２２，１２２やフローティング端子３０、１３０に過剰な負荷を掛けることなく位置ズレを規制するフローティングコネクタ１０，１１０を提供することができる。
【００４３】
本開示の好ましい実施形態について詳述したが、本開示は上述した実施形態に限定されるものではなく、特許請求の範囲に記載された本開示の要旨の範囲内において、種々の変形、変更が可能である。
【符号の説明】
【００４４】
１０…フローティングコネクタ（第１実施形態）
２０…ハウジング、２１…ハウジング嵌入部、２１ａ…前面（嵌入口ひいてはハウジング嵌入部の）、２２…嵌入口、２３…収容空間
３０…フローティング端子、３１…コンタクト部、３２…弾性部、３３…基端部
４０…基板固定部材、４１…基板接触部、４２…側方規制部、４２ａ…前面（側方規制部の）、４３…上方規制部、４４…前方規制部、４５…接続部
５０…フローティング端子固定部材、５１…基体、５２…側端部、５３…溝部、５４…仕切部、５５…後方規制部
１１０…フローティングコネクタ（第２実施形態）
１２０…ハウジング、１２１…ハウジング嵌入部、１２１ａ…前面（嵌入口ひいてはハウジング嵌入部の）、１２２…嵌入口、１２３…収容空間、１２４ａ…アクチュエータ、１２４ｂ…支持部、１２４ｃ…基体、１２５ａ…上側端部、１２５ｂ…下側端部、１２５ｃ…切欠き
１３０…フローティング端子、１３１…コンタクト部、１３２…弾性部、１３３…基端部
１４０…基板固定部材、１４１…基板接触部、１４２１，１４２２…側方規制部、１４２ａ…前面（側方規制部の）、１４３…上方規制部、１４４…前方規制部、１４５…接続部
１５０…フローティング端子固定部材、１５１…基体、１５２…側端部、１５３…溝部、１５４…仕切部、１５５…後方規制部
Ｂｄ…基板
Ｓ…接続対象物
【図１】
2019102373.tif 000003
【図２】
2019102373.tif 000004
【図３】
2019102373.tif 000005
【図４】
2019102373.tif 000006
【図５】
2019102373.tif 000007
【図６】
2019102373.tif 000008
【図７】
2019102373.tif 000009
【図８】
2019102373.tif 000010
【図９】
2019102373.tif 000011
【図１０】
2019102373.tif 000012
【図１１】
2019102373.tif 000013